(57)【要約】【課題】イオンを部屋全体または局所的に真下の空間に容易に吹き出すことができることを目的とする。【解決手段】本体１は、円筒状を有し下方にはフランジ２を有し、天面３にはプロペラファン４を回転させるための電動機５を保持する天板６と電動機５を設け、天板６の下方には電動機５に接続するプロペラファン４を設けという構成にしたことにより、プロペラファン４の回転方向を変えることで、空気流路内の空気の流れる向きを変え、任意の通風口から気流を吹出すことができ、外周側通風口１９から吹出される場合、外周側通風口１９が天井１００面との間に鋭角をなす角度αにより、気流が外側に吹出し、内周側通風口１８から吹出される場合、真下に吹出されるので、イオンを部屋全体または局所的に真下の空間に容易に吹き出すことができるイオン発生装置を得られる。【選択図】図１
2013194933.tif 000002
【特許請求の範囲】
【請求項１】
天井に本体を埋め込み、天井面からイオンを発生させるイオン発生装置において、本体は、円筒状を有し下方にはフランジを有し、天面にはファンを回転させるための電動機を保持する天板と前記電動機を設け、前記天板の下方には前記電動機に接続するプロペラファンを設け、前記本体の下端に内周側通風口と外周側通風口を有するグリルを備え、外周側通風口はグリル外周側と前記天井面との間に鋭角をなす角度を設け前記本体の下端の前記内周側通風口からオリフィス部にかけて筒状の経路を通って前記プロペラファンに吸い込まれ、上方に吹出し前記本体の前記外周側通風口へ導く空気流路を設け、前記本体の内部に静電霧化手段と前記静電霧化手段を完全に覆う保護カバーを備え、前記保護カバーの下方には前記静電霧化手段から発生したイオンを排出するイオン排出口を備えたことを特徴とするイオン発生装置。
【請求項２】
内周側通風口と外周側通風口の近傍の各々に、少なくとも１つ以上のイオン排出口を供えたことを特徴とする請求項１に記載のイオン発生装置。
【請求項３】
プロペラファンの材料に、帯電防止剤をさせることを特徴とする請求項１〜２のいずれかに記載のイオン発生装置。
【発明の詳細な説明】
【技術分野】
【０００１】
本発明は、室内空間の除菌や脱臭を行うイオン発生装置に関するものである。
【背景技術】
【０００２】
従来、この種のイオン発生装置は、マイナスイオン発生手段によって発生したイオンを、ファンによって生じさせた空気の流れにのせて流出させたものが知られている（例えば、特許文献１参照）。
【０００３】
以下、そのイオン発生装置について図５を参照しながら説明する。
【０００４】
図５に示すように、イオン発生装置１０１は、略円筒形状のケース１０２内に、マイナスイオン発生手段１０３とファン１０４と直流変換用基板１０５と高電圧発生用基板１０６とを収納し、またケース１０２の下部外周にカサ部１０７を取り付けて構成されている。また、ケース１０２外周面の下記するファン１０４の空気取り入れ口１０８に対向する位置に複数本のスリットからなるファン用空気導入開口１０９が設けられている。
【０００５】
上記構成により、マイナスイオン発生手段１０３によって発生したマイナスイオンを、ファン１０４によって生じた空気の流れに乗せてケース１０２の下方に向けて流出させることができる。
【先行技術文献】
【特許文献】
【０００６】
【特許文献１】特開２００６−２３０７０６号公報
【発明の概要】
【発明が解決しようとする課題】
【０００７】
このような従来の住宅の一部に取り付けるイオン発生装置においては、発生したイオンを気流に載せて下方に流出させる構造となっているが、この場合、真下の空間のみの限られた空間にイオンを供給することになり、部屋全体あるいは局所的に真下の空間というように任意に供給先の空間を変えることができない、という課題を有していた。
【０００８】
そこで本発明は、上記従来の課題を解決するものであり、任意に供給先の空間を変えることができるイオン発生装置を提供することを目的とする。
【課題を解決するための手段】
【０００９】
そして、この目的を達成するために、本発明は、天井に本体を埋め込み、天井面からイオンを発生させるイオン発生装置において、本体は、円筒状を有し下方にはフランジを有し、天面にはファンを正逆回転させるための電動機を保持する天板と前記電動機を設け、前記天板の下方には前記電動機に接続するプロペラファンを設け、前記本体の下端に内周側通風口と外周側通風口を有するグリルを備え、外周側通風口はグリル外周側と前記天井面との間に鋭角をなす角度を設け前記本体の下端の前記内周側通風口からオリフィス部にかけて筒状の経路を通って前記プロペラファンに吸い込まれ、上方に吹出し前記本体の前記外周側通風口へ導く空気流路を設け、前記本体の内部に静電霧化手段と前記静電霧化手段を完全に覆う保護カバーを備え、前記保護カバーの下方には前記静電霧化手段から発生したイオンを排出するイオン排出口を備えたこととしたものであり、これにより所期の目的を達成するものである。
【発明の効果】
【００１０】
本発明によれば、天井に本体を埋め込み、天井面からイオンを発生させるイオン発生装置において、本体は、円筒状を有し下方にはフランジを有し、天面にはファンを正逆回転させるための電動機を保持する天板と前記電動機を設け、前記天板の下方には前記電動機に接続するプロペラファンを設け、前記本体の下端に内周側通風口と外周側通風口を有するグリルを備え、外周側通風口はグリル外周側と前記天井面との間に鋭角をなす角度を設け前記本体の下端の前記内周側通風口からオリフィス部にかけて筒状の経路を通って前記プロペラファンに吸い込まれ、上方に吹出し前記本体の前記外周側通風口へ導く空気流路を設け、前記本体の内部に静電霧化手段と前記静電霧化手段を完全に覆う保護カバーを備え、前記保護カバーの下方には前記静電霧化手段から発生したイオンを排出するイオン排出口を備えたことという構成にしたことにより、プロペラファンの回転方向を変えることで、空気流路内の空気の流れる向きを変え、任意の通風口から気流を吹出すことができ、外周側通風口から吹出される場合、外周側通風口が天井面との間に鋭角をなす角度により、気流が外側に吹出し、内周側通風口から吹出される場合、真下に吹出されることとなるので、イオンを部屋全体または局所的に真下の空間に容易に吹き出すことができる、という効果を得ることができる。
【図面の簡単な説明】
【００１１】
【図１】本発明の実施の形態１のイオン発生装置を天井に取付けた状態の正面構成図
【図２】同イオン発生装置の内部を示す斜視図
【図３】同イオン発生装置の分解斜視図
【図４】同イオン発生装置を天井に取付けた状態の側面構成図
【図５】従来のイオン発生装置の天井に取付けた状態を示す断面図
【発明を実施するための形態】
【００１２】
本発明の請求項１記載のイオン発生装置は、天井に本体を埋め込み、天井面からイオンを発生させるイオン発生装置において、本体は、円筒状を有し下方にはフランジを有し、天面にはファンを正逆回転させるための電動機を保持する天板と前記電動機を設け、前記天板の下方には前記電動機に接続するプロペラファンを設け、前記本体の下端に内周側通風口と外周側通風口を有するグリルを備え、外周側通風口はグリル外周側と前記天井面との間に鋭角をなす角度を設け前記本体の下端の前記内周側通風口からオリフィス部にかけて筒状の経路を通って前記プロペラファンに吸い込まれ、上方に吹出し前記本体の前記外周側通風口へ導く空気流路を設け、前記本体の内部に静電霧化手段と前記静電霧化手段を完全に覆う保護カバーを備え、前記保護カバーの下方には前記静電霧化手段から発生したイオンを排出するイオン排出口を備えた、という構成を有する。これにより、プロペラファンの回転方向を変えることで、空気流路内の空気の流れる向きを変え、任意の通風口から気流を吹出すことができ、外周側通風口から吹出される場合、外周側通風口が天井面との間に鋭角をなす角度により、気流が外側に吹出し、内周側通風口から吹出される場合、真下に吹出されることとなるので、イオンを部屋全体または局所的に真下の空間に容易に吹き出すことができる、という効果を奏する。
【００１３】
また、内周側通風口と外周側通風口の近傍の各々に、少なくとも１つ以上のイオン排出口を供えた、という構成にしてもよい。これにより、吸込側で排出されたイオンが空気流路内を通り、プロペラファンで拡散され空気流路内の空気に均一化され、さらに、吹出し側で排出される空気に新鮮なイオンを追加供給させることとなるので、空気流路内の雑菌を抑制しつつ、均一なイオンの気流と、新鮮で存続時間の長いイオンの両方を供給することができる、という効果を奏する。
【００１４】
また、プロペラファンの材料に、帯電防止剤をさせる、という構成にしてもよい。これにより、帯電防止剤にほこりが付着しないこととなるので、プロペラファンを逆回転しても、ほこりをまきちらさなくすることができる、という効果を奏する。
【００１５】
以下、本発明の実施の形態について図面を参照しながら説明する。
【００１６】
（実施の形態１）
図１および図２に示すように、天井に本体を埋め込み、天井面からイオンを発生させるイオン装置に係るものであり、図１に示すように本体１は、円筒状を有しており下方にはフランジ２を有し、本体１の天面３には、遠心送風手段であるプロペラファン４とプロペラファン４を正逆回転可能な電動機５とで双方向に送風できるように形成し、電動機５を保持する天板６を設け、天板６の下方には電動機５に接続するプロペラファン４を組み込んで構成されている。
【００１７】
なお、電動機５は、直流（ＤＣ）でも交流（ＡＣ）でもどちらでも良い。
【００１８】
また、本体１の左右すなわち側面には固定金具７を設け、図３に示すように固定金具７は固定金具７ａと根底金具７ｂの二つの部品で構成され、固定金具７ｂは固定金具７ａとの接触面を中心に回転でき、本体１にあいた穴８と固定金具７ａにあいた長穴９を貫通する金具専用ネジ１０の先端には、固定ナット１１が設けられている。金具専用ネジ１０を回転させることで、本体１に設けたコの字形状の壁１２によって回転方向の動きを規制された固定ナット１０が上下に移動し固定金具７を下方に移動させて、フランジ２と固定金具７とで天井を挟み込んで本体１を天井に固定することとなる。なお、フランジ２に設けてある取り付け穴１３にネジを差し込んで締め付けることで天井に取り付けることも可能である。
【００１９】
また、電動機５の軸方向の中央には電動機フランジ１４が設けられており、電動機５は天板６の上方よりネジで電動機フランジ１４を介して取付けられており、プロペラファン４は電動機５のシャフト１５から挿入しボス部１６の先端側にスピンナー１７を回転して固定することによってプロペラファン４を抜き止め状態に構成している。
【００２０】
なお、スピンナー１７を回転して固定すると記載したが、ナットで固定しても良い。
【００２１】
また、図３に示すように、本体１の下端に内周側通風口１８と外周側通風口１９を有するグリル２０とを備え、グリル２０の形状に対して内周側通風口１８と外周側通風口１９は同心円形状に形成され、外周側通風口１９を設け、外周側通風口１９の形状にはグリル２０外周側と天井面との間に鋭角をなす角度αを設けたという構成を有する。
【００２２】
また、図３に示すように、筒状の経路２１の外周部に静電霧化手段２３を設け、保護カバー２４にて覆っており、筒状の経路２１にも空気流路２２にも属さない場所に静電霧化手段２３が配置されている。保護カバー２４の下方には、静電霧化手段２３から発生したイオンを排出するイオン排出口２５を備え、イオン排出口２５が内周側通風口１８と外周側通風口１９近傍に少なくとも一つ以上に設けられ、イオン排出口２５の大きさは直径５ミリメートル程度となっており、ユーザーの指が入り込まない大きさとなっている。
【００２３】
また、図４に示すように電動機５および静電霧化手段２３をコントロールする基板２６を納める制御回路ケース２７は、本体１の外郭にあたる天板６と電動機５の上方に設置した構成となっている。
【００２４】
上記構成において、図１に示すように空気の流れを上流から追っていくと、通常プロペラファン４は正回転（図１の紙面に対して反時計回り）する場合、グリル２０の内周側通風口１８を通じて部屋の空気を吸込み、同時に静電霧化手段２３よりイオンが生成され、図３に示す内周側通風口１８の近傍に設置してあるイオン排出口２５ａから排出されたイオンと、プロペラファン４によって下方から上方方向にほぼ均一に送り出される。
【００２５】
そして、ほぼ均一に送り出されたイオンを含んだ空気は、本体１の内壁２８に沿って下方から上方に送り込まれ、最上端で外方へ向かって曲げられ、そして、下方に曲げられ、空気流路２２を通じて、グリル２０の外周側通風口１９からほぼ均一に吹き出す。
【００２６】
また、外周側通風口１９の近傍に設置してあるイオンを排出するためのイオン排出口２５ｂから、静電霧化手段２３によって生成されたイオンが放出され、イオンは図１に示す外周側通風口１９から吹き出す風の流れにのって均一に部屋全体にいきわたることとなる。
【００２７】
また、外周側通風口１９内部と天井１００面のなす角がα、αは２０度前後の角度であるのが望ましい。
【００２８】
これにより、イオンを含んだ空気が外周側通風口１９から外向き下方に放出されるので、部屋全体にいきわたらせることができる。
【００２９】
一方、図１に示すように、正逆回転可能な電動機５が逆転させることで、プロペラファン４（図１の紙面に対して時計回り）も逆転し、プロペラファン４はグリル２０の外周側通風口１９を通じて部屋の空気を吸込み、それと同時に静電霧化手段２３よりイオンが生成され、図３に示す外周側通風口１９の近傍に設置してあるイオン排出口２５ｂから排出されたイオンと、プロペラファン４によって上方方向に均一に送り出される。
【００３０】
そして、均一に送り出されたイオンを含んだ空気は、本体１の中央の保護カバー２４の内壁に沿って下方に曲げられ、グリル２０の内周側通風口１８から均一に吹き出す。また、内周側通風口１８の近傍に設置してあるイオンを排出するためのイオン排出口２５ａから、静電霧化手段２３によって生成されたイオンが放出され、イオンは図１に示す内周側通風口１８から吹き出す風の流れにのって、内周側通風口１８に角度が付いていないため、イオンは内周側通風口１８からそのまま真下方向に吹き出すこととなる。
【００３１】
上記により説明したたように、プロペラファン４の回転方向を変えることで、風路内の空気の流れる向きを変えることができ、イオンを部屋全体または、局所的に真下の空間というように任意に供給先の空間を変えることができる。
【００３２】
また、図１に示すように、グリル２０の内周側通風口１８と外周側通風口１９の近傍の各々に少なくとも一つ以上のイオン排出口を供えることができ、風路内の空気の流れの向きに寄らず、吸込み側で排出されたイオンが風路内部を通り、プロペラファン４によって空気を均一化され、さらに吹き出し側で排出された新鮮なイオンが追加供給されるため、風路内雑菌を抑制しつつ、均一なイオンの気流と、新鮮で存続時間の長いイオンの両方を供給することができる。
【００３３】
また、プロペラファン４の材料に、帯電防止剤の添加によって、表面にできた伝導層により静電気が漏洩し、空気中のほこりやカビの栄養源などが付着させないこととなるので、プロペラファン４を逆回転しても、ほこりを撒き散らさなくすることができ、カビの発生を防止し、衛生面における快適性を向上させることができる。
【産業上の利用可能性】
【００３４】
本発明にかかるイオン発生装置は、天井に取り付けて広範囲にイオンを供給することができるため、イオンによってもたらすことができる効果や効能を居住空間に供給することに有用であり、また、クローゼットやバス、トイレ、または倉庫などの非居住空間においても有用である。
【符号の説明】
【００３５】
１      本体
２      フランジ
３      天面
４      プロペラファン
５      電動機
６      天板
１８    内周側通風口
１９    外周側通風口
２０    グリル
２１    筒状の経路
２２    空気流路
２３    静電霧化手段
１００  天井
【図１】
2013194933.tif 000003
【図２】
2013194933.tif 000004
【図３】
2013194933.tif 000005
【図４】
2013194933.tif 000006
【図５】
2013194933.tif 000007